(57)【要約】【課題】電源回路の出力コンデンサの容量を増やすことなく立ち上がり時間を短くすることが可能なデジタル制御電源を提供すること。【解決手段】本発明の出力端子の先にＤＣ−ＤＣコンバータ１２ａが接続されたデジタル制御電源１は、演算処理装置４と、該演算処理装置からの指令値に基づいたＰＷＭ信号を生成するＰＷＭ生成部３と、該ＰＷＭ生成部３から出力に基づいた電圧値を出力するスイッチング電源回路２と、を備え、更に、前記ＤＣ−ＤＣコンバータ１２ａの出力電圧を演算処理装置４にて監視する電圧監視手段６と、デジタル制御電源１の出力電圧設定値を予め許容範囲内略上限値に設定しておき、電圧監視手段６によりＤＣ−ＤＣコンバータ１２ａの出力電圧値が予め設定した値を超えたことを検出したとき、演算処理装置４からの指令値を変更し出力電圧設定値を出力電圧の規定値に変更する変更手段７と、を有する。【選択図】図１
2017028754.tif 000002
【特許請求の範囲】
【請求項１】
電圧を数値に変換するＡ／Ｄコンバータと、該Ａ／Ｄコンバータで変換された数値をデジタル演算する演算処理装置と、該演算処理装置からの指令値に基づいたＰＷＭ信号を生成するＰＷＭ生成部と、該ＰＷＭ生成部から出力されたＰＷＭ信号に基づいた電圧値を出力するスイッチング電源回路と、を備え、出力端子の先にＤＣ−ＤＣコンバータが接続されたデジタル制御電源において、
前記ＤＣ−ＤＣコンバータの出力電圧を、前記演算処理装置にて監視する電圧監視手段と、
前記デジタル制御電源の出力電圧設定値を予め出力電圧の許容範囲内の略上限値に設定しておき、前記電圧監視手段により前記ＤＣ−ＤＣコンバータの出力電圧値が予め設定した閾値を超えたことを検出したとき、前記演算処理装置からの指令値を変更し出力電圧設定値を出力電圧の規定値に変更する変更手段と、
を有することを特徴とするデジタル制御電源。
【発明の詳細な説明】
【技術分野】
【０００１】
本発明は、デジタル制御電源に関する。
【背景技術】
【０００２】
後段に１チャネル以上のＤＣ−ＤＣコンバータを備える電源回路では、後段のＤＣ−ＤＣコンバータの起動電流により、瞬間的な電圧低下が発生する場合がある。このような瞬間的な電圧低下を抑える技術として、例えば、特許文献１，２に開示される電源回路では、コンデンサやツェナーダイオードを用いて、入力が一定電圧となるまでＤＣ−ＤＣ回路の起動を抑えることにより、出力電圧値を規定内に抑えるようにしている。また、特許文献３に開示される電源回路では、制御電源１とＤＣ−ＤＣコンバータとの間にサーミスタなどの起動電流抑制回路を挿入することで起動電流の影響を抑え、瞬間的な電圧低下を抑えている。
【０００３】
図３は、従来技術におけるデジタル制御電源による電源回路の概略構成図である。図に示す電源回路においては、演算処理装置４はＡ／Ｄコンバータ５を介してフィードバックされてくる出力電圧Ｖout1の値に基づいてデジタル演算を行い、該演算の結果に基づいた指令値をＰＷＭ生成部３に対して出力する。ＰＷＭ生成部３は、演算処理装置４からの指令値に基づいてＰＷＭ信号を生成して出力し、出力された該ＰＷＭ信号に基づいてスイッチング電源回路２が電圧Ｖout1を出力する。そして、スイッチング電源回路２から出力された電圧Ｖout1によりＤＣ−ＤＣコンバータ１２ａに起動電流Ｉout1が流れて電圧Ｖout2が出力される。起動電流抑制回路１１は、瞬間的に流れる電流の量に対して制限を加えるために設けられている。
【０００４】
図４は、図３に示した電源回路において、サーミスタなどの起動電流抑制回路１１を組み込んでいない場合の起動時の電流・電圧の変化を示すグラフ（図４（ａ））と、起動電流抑制回路１１を組み込んだ場合の起動時の電流・電圧の変化を示すグラフ（図４（ｂ））を示している。起動電流抑制回路１１を組み込んでいない電源回路の場合、図４（ａ）に示すように、後段のＤＣ−ＤＣコンバータ１２ａの起動電流Ｉout1の突入電流により、デジタル制御電源１の出力電圧Ｖout1に瞬間的な電圧低下が発生する場合がある。これに対して、起動電流抑制回路１１を組み込んだ電源回路においては、図４（ｂ）に示すように、起動電流Ｉout1に制限を設けることによりデジタル制御電源１の出力電圧Ｖout1の電圧低下を抑えることができるようになる。
【先行技術文献】
【特許文献】
【０００５】
【特許文献１】特許第４５９５１７９号公報
【特許文献２】特許第４０９３１８５号公報
【特許文献３】特許第３８０４０５７号公報
【発明の概要】
【発明が解決しようとする課題】
【０００６】
しかしながら、起動電流抑制回路を設けることにより起動電流に対して制限を設けた場合、電源の立ち上がり時間が長くなるため、起動時の要求シーケンスを満たせなくなる場合があるという課題がある。また、起動時の電圧変動をコンデンサで抑えるという方法では大容量のコンデンサが必要となり、電源の小型化の妨げとなるという課題が発生する。
【０００７】
そこで本発明の目的は、電源回路の出力コンデンサの容量を増やすことなく立ち上がり時間を短くすることが可能なデジタル制御電源を提供することである。
【課題を解決するための手段】
【０００８】
本願の請求項１に係る発明は、電圧を数値に変換するＡ／Ｄコンバータと、該Ａ／Ｄコンバータで変換された数値をデジタル演算する演算処理装置と、該演算処理装置からの指令値に基づいたＰＷＭ信号を生成するＰＷＭ生成部と、該ＰＷＭ生成部から出力されたＰＷＭ信号に基づいた電圧値を出力するスイッチング電源回路と、を備え、出力端子の先にＤＣ−ＤＣコンバータが接続されたデジタル制御電源において、前記ＤＣ−ＤＣコンバータの出力電圧を、前記演算処理装置にて監視する電圧監視手段と、前記デジタル制御電源の出力電圧設定値を予め出力電圧の許容範囲内の略上限値に設定しておき、前記電圧監視手段により前記ＤＣ−ＤＣコンバータの出力電圧値が予め設定した閾値を超えたことを検出したとき、前記演算処理装置からの指令値を変更し出力電圧設定値を出力電圧の規定値に変更する変更手段と、を有することを特徴とするデジタル制御電源である。
【発明の効果】
【０００９】
本発明により、後段のＤＣ−ＤＣコンバータの起動電流による電圧降下が大きい場合でも、出力電圧設定値を変動許容範囲内で上限値付近に設定しているのでデジタル制御電源の出力電圧値を変動許容範囲に収めることができる。そのため、大容量の出力コンデンサは不要となり、電源回路の出力コンデンサの容量を減らすことが可能となる。また、後段のＤＣ−ＤＣコンバータの起動電流を抑える必要が無く大きく出来る為、立ち上がり時間を短くすることが出来る。
【図面の簡単な説明】
【００１０】
【図１】本発明の実施形態における電源回路の概略構成図である。
【図２】本発明の実施形態における電源回路の出力電圧の変化を示すグラフである。
【図３】従来技術における電源回路の概略構成図である。
【図４】従来技術における電源回路の出力電圧の変化を示すグラフである。
【００１１】
以下、本発明の実施形態を図面と共に説明する。なお、従来技術と同一または類似する構成は同じ符号を用いて説明する。
本発明のデジタル制御電源では、予めデジタル制御電源の出力電圧設定値を変動許容範囲内での上限値付近に設定しておく。このように設定しておくことにより、後段のＤＣ−ＤＣコンバータの立ち上がり時に流れる起動電流による電圧降下が発生したとしても、出力電圧設定値が予め高めに設定されているため、出力電圧値を変動許容範囲内に収めることができる。したがって、ＤＣ−ＤＣコンバータの起動電流を制限することなく大きくすることが可能となり、電源の立ち上がり時間を短くすることができる。
【００１２】
図１は、本発明の一実施形態におけるデジタル制御電源を含む電源回路の概略構成を示した図である。図１に示す電源回路では、入力電圧Ｖinがコンデンサ８を介してデジタル制御電源１に入力されると、該入力電圧Ｖinがスイッチング電源回路２により変換された出力電圧Ｖout1が出力される。デジタル制御電源１の後段にはチャネル数の分だけＤＣ−ＤＣコンバータ１２ａ，１２ｂ，１２ｃ，…が接続されており、コンデンサ９を介して入力されたデジタル制御電源１の電圧Ｖout1がそれぞれのＤＣ−ＤＣコンバータ１２ａ，１２ｂ，１２ｃ，…により変換され、出力電圧Ｖout2，Ｖout3，Ｖout4，…が、コンデンサ１０ａ，１０ｂ，１０ｃ，…を介してそれぞれ出力される。
【００１３】
本実施形態のデジタル制御電源１には出力電圧設定値が設定されており、演算処理装置４は、Ａ／Ｄコンバータ５ａを介してフィードバックされてくる出力電圧Ｖout1の値に基づいて、出力電圧Ｖout1が出力電圧設定値となるように指令値を演算してＰＷＭ生成部３に対して出力する。そしてＰＷＭ生成部３は、演算処理装置４からの指令値に基づいてＰＷＭ信号を生成して出力し、出力された該ＰＷＭ信号に基づいてスイッチング電源回路２から電圧Ｖout1が出力される。
【００１４】
また演算処理装置４は、電圧監視手段６、変更手段７を備えており、Ａ／Ｄコンバータ５ｂ，５ｃ，５ｄ，…を介してフィードバックされてくる各ＤＣ−ＤＣコンバータ１２ａ，１２ｂ，１２ｃ，…からの出力電圧Ｖout2，Ｖout3，Ｖout4，…の値を電圧監視手段６が監視し、監視した各ＤＣ−ＤＣコンバータ１２ａ，１２ｂ，１２ｃ，…からの出力電圧値に基づいて、変更手段７がデジタル制御電源１の出力電圧設定値を変更する。変更手段７は、電源回路の起動時には出力電圧設定値をデジタル制御電源１にあらかじめ設定されている出力電圧Ｖout1の変動許容範囲内の略上限値へと変更し、各ＤＣ−ＤＣコンバータ１２ａ，１２ｂ，１２ｃ，…からフィードバックされてくる出力電圧Ｖout2，Ｖout3，Ｖout4，…が、それぞれの出力電圧の予め設定されている閾値を超えた時点で出力電圧設定値を通常の出力電圧値の規定値へと変更する。
【００１５】
図２は、本実施形態の電源回路における出力電圧Ｖout1、ＤＣ−ＤＣコンバータ１２ａの出力電圧Ｖout2および起動電流Ｉout1をグラフで示した図である。図に示すように、本発明の電源回路では、電源の起動時にデジタル制御電源１の出力電圧設定値が出力電圧Ｖout1の変動許容範囲内の略上限値に設定される。そのため、ＤＣ−ＤＣコンバータ１２ａに流れる起動電流Ｉout1に突入電流が発生し、出力電圧Ｖout1に電圧降下が発生した場合であっても出力電圧Ｖout1の値を変動許容範囲内に収めることができるようになる（図２Ａ）。
その後、ＤＣ−ＤＣコンバータ１２ａの出力電圧Ｖout2の値が予め設定された閾値を超えると（図２Ｂ）電源回路の起動が完了したと判定し、デジタル制御電源１の出力電圧設定値が通常の出力電圧値の規定値へと変更される（図２Ｃ）。なお、ＤＣ−ＤＣコンバータが複数設けられている場合には、全てのＤＣ−ＤＣコンバータの出力電圧値がそれぞれの閾値を超えた場合に電源回路の起動が完了したと判定するようにすれば良い。
【００１６】
本実施形態のデジタル制御電源の構成により、後段のＤＣ−ＤＣコンバータの起動電流による電圧低下が大きい場合でも、電圧設定値を変動許容範囲内で上限値付近に設定しているため、電源回路の出力コンデンサの容量を減らすことが可能となる。また、後段のＤＣ−ＤＣコンバータの起動電流を大きく出来る為、立ち上がり時間を短くすることが出来る。
【００１７】
以上、本発明の実施の形態について説明したが、本発明は上述した実施の形態の例のみに限定されることなく、適宜の変更を加えることにより様々な態様で実施することができる。
【符号の説明】
【００１８】
１  デジタル制御電源
２  スイッチング電源回路
３  ＰＷＭ生成部
４  演算処理装置
５，５ａ，５ｂ，５ｃ，５ｄ  Ａ／Ｄコンバータ
６  電圧監視手段
７  変更手段
８  コンデンサ
９  コンデンサ
１０  コンデンサ
１１  起動電流抑制回路
１２ａ，１２ｂ，１２ｃ  ＤＣ−ＤＣコンバータ
【図１】
2017028754.tif 000003
【図２】
2017028754.tif 000004
【図３】
2017028754.tif 000005
【図４】
2017028754.tif 000006